(57)【特許請求の範囲】
【請求項１】
写真を撮影する撮影手段と、
前記撮影手段により撮影され、得られた画像データの配信が可能な外部サーバに当該画像データを登録するために送信する通信手段と、
前記通信手段による通信を有効とする状態、または無効とする状態のいずれかを装置に設定する設定手段と、
前記撮影手段により撮影され、得られた画像データを印刷媒体に印刷する印刷手段とを備え、
前記通信手段は、
前記外部サーバとの間で通信が可能であるか否かを判断する通信テストを実行し、
前記通信テストの結果に基づいて、通信が可能である場合に前記外部サーバで発行され、前記外部サーバに登録された後の当該画像データにユーザが端末からアクセスして、前記外部サーバから前記端末に対して当該画像データの配信を受けるために必要なＩＤを受信し、
前記設定手段は、前記通信手段による通信テストの結果に基づいて、前記外部サーバとの間で当該画像データを送信するための通信を有効とする状態、または無効とする状態のいずれかを装置に設定し、
前記通信手段は、前記設定手段により通信を有効とする状態に設定された場合に、ユーザからの指示に従って前記画像データを前記外部サーバに送信し、
前記印刷手段は、前記設定手段により通信を有効とする状態に設定された場合に、前記通信手段で受信したＩＤを前記印刷媒体に印刷する、写真シール作成装置。
【請求項２】
前記設定手段は、強制的に通信を無効とする設定を受け付けることにより、通信を有効とする状態、または無効とする状態のいずれかを装置に設定する、請求項１記載の写真シール作成装置。
【請求項３】
前記設定手段で通信を無効とする状態が設定されているときには、前記外部サーバとの間で当該画像データを送信するための通信を行う機能がユーザに選択できないように制御する、請求項１または２のいずれかに記載の写真シール作成装置。
【請求項４】
前記設定手段の前記通信手段の設定状態を画面に表示する表示手段をさらに備えた、請求項１〜３のいずれかに記載の写真シール作成装置。
【請求項５】
前記印刷手段による前記画像データの前記印刷媒体に対する印刷が完了するまでに、前記得られた画像データを前記外部サーバに送信する指示を受け付ける送信受付手段をさらに備えた、請求項１〜４のいずれかに記載の写真シール作成装置。
【請求項６】
前記送信受付手段は、前記画像データの配信先の端末を指定する指定情報の入力を受け付ける、請求項５記載の写真シール作成装置。
【請求項７】
写真を撮影する撮影手段を含む写真シール作成装置の制御方法であって、
前記撮影手段により撮影され、得られた画像データの配信が可能な外部サーバに当該画像データを登録するために送信する通信ステップと、
前記通信ステップによる通信を有効とする状態、または無効とする状態のいずれかを装置に設定する設定ステップと、
前記撮影手段により撮影され、得られた画像データを印刷媒体に印刷する印刷ステップと、
前記外部サーバとの間で通信が可能であるか否かを判断する通信テストステップと、
前記通信テストステップの結果に基づいて、通信が可能である場合に前記外部サーバで発行され、前記外部サーバに登録された後の当該画像データにユーザが端末からアクセスして、前記外部サーバから前記端末に対して当該画像データの配信を受けるために必要なＩＤを受信する受信ステップとを備え、
前記設定ステップは、前記通信テストステップの結果に基づいて、前記外部サーバとの間で当該画像データを送信するための通信を有効とする状態、または無効とする状態のいずれかを装置に設定し、
前記通信ステップは、前記設定ステップにより通信を有効とする状態に設定された場合に、ユーザからの指示に従って前記画像データを前記外部サーバに送信し、
前記印刷ステップは、前記設定ステップにより通信を有効とする状態に設定された場合に、前記受信ステップで受信したＩＤを前記印刷媒体に印刷する、写真シール作成装置の制御方法。
【請求項８】
写真を撮影する撮影手段を含む写真シール作成装置の制御プログラムであって、
前記撮影手段により撮影され、得られた画像データの配信が可能な外部サーバに当該画像データを登録するために送信する通信ステップと、
前記通信ステップによる通信を有効とする状態、または無効とする状態のいずれかを装置に設定する設定ステップと、
前記撮影手段により撮影され、得られた画像データを印刷媒体に印刷する印刷ステップと、
前記外部サーバとの間で通信が可能であるか否かを判断する通信テストステップと、
前記通信テストステップの結果に基づいて、通信が可能である場合に前記外部サーバで発行され、前記外部サーバに登録された後の当該画像データにユーザが端末からアクセスして、前記外部サーバから前記端末に対して当該画像データの配信を受けるために必要なＩＤを受信する受信ステップとを備え、
前記設定ステップは、前記通信テストステップの結果に基づいて、前記外部サーバとの間で当該画像データを送信するための通信を有効とする状態、または無効とする状態のいずれかを装置に設定し、
前記通信ステップは、前記設定ステップにより通信を有効とする状態に設定された場合に、ユーザからの指示に従って前記画像データを前記外部サーバに送信し、
前記印刷ステップは、前記設定ステップにより通信を有効とする状態に設定された場合に、前記受信ステップで受信したＩＤを前記印刷媒体に印刷する、写真シール作成装置の制御プログラム。
【発明の詳細な説明】
【技術分野】
【０００１】
この発明は、写真シール作成装置、写真シール作成装置の制御方法、および写真シール作成装置の制御プログラムに関し、特に通信手段を備えて、ネットワークを介してデータのやりとりを行なうことができる写真シール作成装置、写真シール作成装置の制御方法、および写真シール作成装置の制御プログラムに関する。
【背景技術】
【０００２】
近年、ゲームセンター等の遊戯を提供する店舗において、写真を撮影してシールプリント等にする写真シール作成装置が数多く設置されている。このような写真シール作成装置には、一般に、被写体である利用者を写真シール作成装置に付属のカメラで撮影した画像を、タブレットディスプレイなどに表示して付属のタッチペンで文字や図形などを入力する、いわゆる落書きやお絵描きといわれている編集機能があるものが一般的になっている。そして、このような編集入力された画像は撮影画像と合成され、その合成画像がプリンタで印刷されて利用者に提供される。
【０００３】
また、最近では、写真シール作成装置に通信手段を備えて、写真シール作成装置で作成した撮影画像または合成画像を、ネットワークを介して外部のサーバに送信して蓄積し、ユーザの携帯電話に配信することができるようにした画像配信システムが登場している。
【０００４】
このような画像を携帯端末に配信する技術に関して、下記特許文献１には、画像合成装置で撮影され、合成出力された画像を通信回線を介して任意の携帯電話機、ＰＨＳ、ＰＤＡ等に送信して表示可能にする技術が開示されている。
【０００５】
また、下記特許文献２には、上述のような画像を携帯端末に配信する技術に関して、複数のユーザからなるグループにより画像印刷装置が利用されている場合、それぞれのユーザにより選択された画像を、それぞれのユーザにより入力されたメールアドレスにより指定される携帯電話機に配信することができる画像印刷装置が開示されている。
【特許文献１】特開２００１−２４５２９０号公報
【特許文献２】特開２００３−３３３５７３号公報
【発明の開示】
【発明が解決しようとする課題】
【０００６】
ゲームセンターなどの店舗には、写真シール作成装置が１つだけ配備されるというものではないので、店舗内で装置を自由に配置できるようにする必要がある。したがって、ネットワークケーブルなどを用いて装置を有線によってネットワーク接続すると、取り回しに自由度がなくなってしまうという問題がある。このため、通信手段はＰＨＳ（Personal
Handy phone System）カードなどを用いて、無線によるネットワーク接続を行なうことが多い。
【０００７】
しかし、上記のようなＰＨＳカード等を用いて無線でネットワーク接続をすることを採用した場合に、無線は、電波の強度が変わりやすく一定ではないという問題がある。これは、時間帯に応じてトラフィック状態などが変わりやすいからであり、時間帯によっては、通信不可能な程度に電波が弱くなってしまうことがある。
【０００８】
このように通信不可能な場合にも、携帯電話への画像転送を行なう機能を利用可能とす
ると、ユーザに画像を提供できなくなることがあるという問題があった。また、ユーザは携帯電話へ画像転送を行なう機能を利用したのにも関わらず、画像が取得できないと不満に思うという問題があった。
【０００９】
また、手動によってテストモードなどで通信機能を無効化することもできるが、一日中同じ電波強度であるとは限らないため、時間帯別に通信機能の有効／無効を変更したりすることは手間がかかり、実質的に不可能であるという問題があった。
【００１０】
さらに、ユーザにより選択された画像を、入力されたメールアドレスにより指定される端末に配信する場合には、メールアドレスの入力ミスが発生しやすいという問題があった。
【００１１】
本発明は上記問題を解決するためになされたものであり、通信状況にあわせて設定を変更する写真シール作成装置、写真シール作成装置の制御方法、および写真シール作成装置の制御プログラムを提供することを目的とする。
【００１２】
さらに本発明は、メールアドレスの入力ミスを少なくすることができる写真シール作成装置を提供することを目的としている。
【課題を解決するための手段】
【００１３】
上記目的を達成するためこの発明のある局面に従うと、写真シール作成装置は、写真を撮影する撮影手段と、撮影手段により撮影され、得られた画像データの配信が可能な外部サーバに当該画像データを登録するために送信する通信手段と、通信手段による通信を有効とする状態、または無効とする状態のいずれかを装置に設定する設定手段と、撮影手段により撮影され、得られた画像データを印刷媒体に印刷する印刷手段とを備える。通信手段は、外部サーバとの間で通信が可能であるか否かを判断する通信テストを実行し、通信テストの結果に基づいて、通信が可能である場合に外部サーバで発行され、外部サーバに登録された後の当該画像データにユーザが端末からアクセスして、外部サーバから端末に対して当該画像データの配信を受けるために必要なＩＤを受信し、設定手段は、通信手段による通信テストの結果に基づいて、外部サーバとの間で当該画像データを送信するための通信を有効とする状態、または無効とする状態のいずれかを装置に設定し、通信手段は、設定手段により通信を有効とする状態に設定された場合に、ユーザからの指示に従って画像データを外部サーバに送信し、印刷手段は、設定手段により通信を有効とする状態に設定された場合に、通信手段で受信したＩＤを印刷媒体に印刷する。
【００１５】
好ましくは、設定手段は、強制的に通信を無効とする設定を受け付けることにより、通信を有効とする状態、または無効とする状態のいずれかを装置に設定する。
【００１６】
好ましくは、設定手段で通信を無効とする状態が設定されているときには、外部サーバとの間で当該画像データを送信するための通信を行う機能がユーザに選択できないように制御する。
好ましくは、設定手段の前記通信手段の設定状態を画面に表示する表示手段をさらに備える。
【００１８】
好ましくは、印刷手段による画像データの印刷媒体に対する印刷が完了するまでに、得られた画像データを外部サーバに送信する指示を受け付ける送信受付手段をさらに備える。
【００１９】
特に、送信受付手段は、画像データの配信先の端末を指定する指定情報の入力を受け付ける。
【００２０】
この発明のさらに他の局面に従うと、写真を撮影する撮影手段を含む写真シール作成装置の制御方法は、撮影手段により撮影され、得られた画像データの配信が可能な外部サーバに当該画像データを登録するために送信する通信ステップと、通信ステップによる通信を有効とする状態、または無効とする状態のいずれかを装置に設定する設定ステップと、撮影手段により撮影され、得られた画像データを印刷媒体に印刷する印刷ステップと、外部サーバとの間で通信が可能であるか否かを判断する通信テストステップと、通信テストステップの結果に基づいて、通信が可能である場合に外部サーバで発行され、外部サーバに登録された後の当該画像データにユーザが端末からアクセスして、外部サーバから端末に対して当該画像データの配信を受けるために必要なＩＤを受信する受信ステップとを備える。設定ステップは、通信テストステップの結果に基づいて、外部サーバとの間で当該画像データを送信するための通信を有効とする状態、または無効とする状態のいずれかを装置に設定し、通信ステップは、設定ステップにより通信を有効とする状態に設定された場合に、ユーザからの指示に従って画像データを外部サーバに送信し、印刷ステップは、設定ステップにより通信を有効とする状態に設定された場合に、受信ステップで受信したＩＤを印刷媒体に印刷する。
【００２１】
この発明のさらに他の局面に従うと、写真を撮影する撮影手段を含む写真シール作成装置の制御プログラムは、撮影手段により撮影され、得られた画像データの配信が可能な外部サーバに当該画像データを登録するために送信する通信ステップと、通信ステップによる通信を有効とする状態、または無効とする状態のいずれかを装置に設定する設定ステップと、撮影手段により撮影され、得られた画像データを印刷媒体に印刷する印刷ステップ、外部サーバとの間で通信が可能であるか否かを判断する通信テストステップと、通信テストステップの結果に基づいて、通信が可能である場合に外部サーバで発行され、外部サーバに登録された後の当該画像データにユーザが端末からアクセスして、外部サーバから端末に対して当該画像データの配信を受けるために必要なＩＤを受信する受信ステップとを備え、設定ステップは、通信テストステップの結果に基づいて、外部サーバとの間で当該画像データを送信するための通信を有効とする状態、または無効とする状態のいずれかを装置に設定し、通信ステップは、設定ステップにより通信を有効とする状態に設定された場合に、ユーザからの指示に従って画像データを外部サーバに送信し、印刷ステップは、設定ステップにより通信を有効とする状態に設定された場合に、受信ステップで受信したＩＤを印刷媒体に印刷する、処理をコンピュータに実行させる。
【発明の効果】
【００２２】
上記発明に従うと、通信テストを実行し、テスト結果に基づいて、通信を有効とする状態、または無効とする状態のいずれかを装置に設定することができるので、通信状況にあわせて設定を変更する写真シール作成装置、写真シール作成装置の制御方法、および写真シール作成装置の制御プログラムを提供することが可能となる。
【００２３】
また、メールアドレスの入力時に所定時間が経過したことを判定し、メールアドレスの入力を確定させるためのユーザ操作を受付ける前に所定時間が経過したことが判定されると、メールアドレスを利用しないことで、入力途中のメールアドレスが利用されることを防ぐことができる。
【００２４】
また、メールアドレスのアカウント部分の入力が行なわれた後にメールアドレスのドメイン部分が入力されたことに応答して、メールアドレスの入力を確定させるためのユーザ操作を受付けるようにすることで、メールアドレスの入力ミスを少なくすることができる写真シール作成装置を提供することが可能となる。
【発明を実施するための最良の形態】
【００２５】
［写真シール作成装置の外観］
図１は、本発明の実施の形態の１つにおける写真シール作成装置の外観の具体例を示す斜視図であり、図２は横から見た図であり、図３は上から見た図である。
【００２６】
図を参照して、写真シール作成装置は、撮影筐体１０と編集筐体１１ａ，１１ｂとを備え、フレーム材（構造材）やパネル（壁面）やカーテン１２ａ，１２ｂなどで外部と区分された空間を備える。さらに、写真シール作成装置の上述の空間は、撮影筐体１０の前方に存在する主に撮影操作を行なう撮影空間２と、編集筐体１１ａ，１１ｂの付近に存在す
る主に編集操作を行なう複数の編集空間３ａ，３ｂとに分かれる。
【００２７】
撮影筐体１０は、撮影空間２内の被写体である装置利用者を撮影するためのカメラ２１と、カメラ２１により得られた映像をリアルタイムに表示する撮影操作用ディスプレイ２３と、蛍光灯やフラッシュを内蔵する照明装置２４と、プリント物を出力するプリント提供部８とを備えている。
【００２８】
また、撮影空間２の天井部にはＰＨＳカード４２を差込可能なＰＨＳユニット４１が配備される。これらは写真シール作成装置の送信部４０として機能する。これら送信部４０は電波状態のよいところに設置することが好ましく、装置の様々な箇所に取り付け可能にしておくとよい。また、周囲をパネルなどで囲まれていない所で、ユーザの目につきにくい所に配備するのがより好ましい。
【００２９】
また、撮影空間２内には、撮影を行なう被写体が登ったりつかまったりすることで体の位置を支えるための補助部材９３，９５が備えられている。
【００３０】
図４は、撮影空間２の後方に配置されるカーテンユニットなどを示す図である。
図に示されるように、撮影空間２の後方にはカーテンユニット１１５が備えられる。カーテンユニット１１５は、モータ、巻取装置、さまざまな色や柄の背景ロールカーテンなどを含み、背景ロールカーテンによって撮影時の被写体の背景を形成する。背景ロールカーテンとしては、プレイ時の利用者の選択によって利用者が所望するものがセットされたり、予め所定の背景ロールカーテンが配置されたり、各々の撮影コースに対応した方法で決定された背景ロールカーテンが配置されたりする。
【００３１】
また、撮影空間２には上述したとおり補助部材９３，９５が備えられ、撮影時の被写体である利用者の体位の形成（ポーズ取り）を補助する。
【００３２】
さらに、撮影空間２には所定の位置に複数の遠隔撮影ボタン９７ａ，９７ｂが設けられており、これを押下することで撮影の指示が与えられる。
【００３３】
編集筐体１１ａは、撮影空間で撮影した画像を表示して、スタンプ画像などの入力を受付ける編集操作用ディスプレイ３１と、スタンプ画像などを入力する複数のタッチペン３３を備えている。編集筐体１２ａは、編集筐体１１ａと同様の構成であるため詳細な説明を繰り返さない。このように、本写真シール作成装置は、編集を行なうための複数の編集空間３ａ，３ｂとを備えている。
【００３４】
図５は、写真シール作成装置の外観を示す図である。
図に示されるように、写真シール作成装置の外観において、第１の編集空間３ａ、第２の編集空間３ｂおよび撮影空間２を取囲むようにしてカーテン１２ａ，１２ｂが設置される。また、装置の上部には撮影中であるか否か、および通信設定の有効／無効を外部に提示するための利用状況表示装置５０が備えられる。
【００３５】
撮影により得られた画像に対してスタンプ画像などを合成した合成画像は、印刷データとしてレイアウトされ、シールシートにされ、プリント提供部８のプリント取出し口に排出される。
【００３６】
［写真シール作成装置の機能構成］
図６は、写真シール作成装置の機能構成の具体例を示す図である。
【００３７】
図６を参照して、本実施の形態にかかる写真シール作成装置は、各機能や処理動作のた
めの演算、制御の中心部となり、主に撮影側で行なわれるプレイの処理動作と、印刷を実行する第１コンピュータ装置１００ａと、主に編集側で行なわれるプレイの処理動作を実行する第２コンピュータ装置１００ｂと（説明の便宜上区別する必要がない場合は、これらをまとめてコンピュータ装置１００という。）、基板から構成され、コンピュータ装置１００からの指示を受けて、接続してある各種装置を制御、駆動する制御部１１０とを備える。第１コンピュータ装置１００ａと第２コンピュータ装置１００ｂとは、互いに接続され、画像データや情報データなどの授受をピアツーピアで行なう。これらは写真シール作成装置の制御手段として機能する。
【００３８】
写真シール作成装置は、電源を必要とする蛍光灯２７、ストロボ２６、制御部１１０などの電源系統を制御する電源制御部１０８を備え、外部からそれらの装置に対する電源の電圧を安定させるよう制御する。図示はしていないが、電源制御部１０８はストロボ２６などの他にも電源を必要とする機器に接続し、同様の制御を行なう。さらに、そのような電源の投入および切断は、電源スイッチ１０７を押すことで行なわれる。しかし、電源切断によりコンピュータ装置１００で動作しているプログラムを強制的に終了させることは、動作を不安定にさせる原因となる。そのため、電源が落とされても、しばらくはＵＰＳ（Uninterrupted Power Supply）１０９が電源をバックアップし、コンピュータ装置１００に停電信号を送信する。その間に、コンピュータ装置１００はプログラムの終了の手続を行ない、プログラムを正常に終了させる。一方、コンピュータ装置１００を正規の手順で終了した場合は、その旨の信号がＵＰＳ１０９に送信される。
【００３９】
第１コンピュータ装置１００ａは、第１コンピュータ装置１００ａの中心部として演算処理を行なう演算装置であるＣＰＵ(Central Processing Unit)１０１ａと、装置を動作
させるためのプログラムおよびプログラムで必要なグラフィックデータ、音声データ、撮影された画像や撮影画像に対して入力した編集画像その他の各種画像などを記憶する記憶部１０２ａと、プログラムの一時的な作業領域ともなるメモリ１０３ａと、カメラ、各種モニタ、プリンタなどの周辺機器を制御するためのソフトウェアであるドライバ（不図示）と、必要に応じて磁気ディスクや光ディスクや光磁気ディスク、またはＰＨＳユニット４１を装着する入出力インターフェイス（不図示）とを備える。なお、本実施の形態において、第１コンピュータ装置１００ａは画像提供サーバ２０１とネットワークを介して通信するために、ＰＨＳカード４２を差込可能なＰＨＳユニット４１と接続している。
【００４０】
第２コンピュータ装置１００ｂは、第１コンピュータ装置１００ａと異なり、ＰＨＳユニット４１を接続していないが、その他の構成は第１コンピュータ装置１００ａと同様であるため、詳細な説明は繰り返さない。
【００４１】
コンピュータ装置１００は、電源の投入及び切断を制御する電源スイッチ１０７が押され、本装置に電源プラグより電源が投入されると、プログラムが起動されて動作を開始する。第１コンピュータ装置１００ａは、接続されるカメラ２１のシャッタタイミングや、撮影操作用ディスプレイ２３での表示や、プリンタ８５での出力を制御する。第２コンピュータ装置１００ｂは、接続される編集操作用ディスプレイ３１での表示を制御する。
【００４２】
第１コンピュータ装置１００ａのＣＰＵ１０１ａは、カメラ２１が撮像する映像（ライブ映像）と、記憶部１０２ａに記憶されている撮影動作に関する指示や操作画面とを撮影操作用ディスプレイ２３に表示する。撮影操作用ディスプレイ２３への表示は、プログラムに応じてライブ映像のみを表示したり、操作画面を表示したり、ライブ映像と操作画面とを合成して表示したり、別の画面を表示したりする。
【００４３】
ライブ映像と撮影動作に関する情報や操作画面との合成は第１コンピュータ装置１００ａの記憶部１０２ａに記憶されているソフトウェアで行なってもよいし、このような合成
をするための専用の制御装置（基板）を撮影操作用ディスプレイ２３に接続するなどハードウェアで行なってもよい。
【００４４】
また、第１コンピュータ装置１００ａは、上記プログラムの実行や、撮影操作用ディスプレイ２３に含まれるタッチパネルから受信した、利用者の指などでタッチされる入力操作にしたがった指示信号に基づいて、制御部１１０に対して制御信号を送信する。第２コンピュータ装置１００ｂは、編集操作用ディスプレイ３１に含まれるタッチパネルから受信した、タッチペン３３でタッチされる入力操作にしたがった指示信号に基づいて、制御部１１０に対して制御信号を送信する。
【００４５】
タッチパネルは、モニタ（ディスプレイ）の上に積層されている。タッチパネルは、利用者の指などが触れられることによる入力を検出する。
【００４６】
撮影操作用ディスプレイ２３には、撮影・印刷用コンピュータ装置１００ａから送信されるデータが表示される。撮影・印刷用コンピュータ装置１００ａから送信されるデータとは、カメラ２１から撮像される映像や撮影指示や選択肢などであり、これらを適宜画面に表示することによって、撮影時の映像の視覚確認や各種誘導案内などを行なう。
【００４７】
編集操作用ディスプレイ３１は、タッチペン３３からの入力を検出する。タッチペン３３での入力操作によって編集操作用ディスプレイ３１により検出されたデータ信号は、第２コンピュータ装置１００ｂに送信される。編集操作用ディスプレイ３１には、第２コンピュータ装置１００ｂから送信されるデータが表示される。したがって、利用者が落書きなどを入力している最中は、落書きなどが施された撮影画像が、編集操作用ディスプレイ３１に表示される。すなわち、利用者は編集操作用ディスプレイ３１に表示された撮影画像に対して、タッチペン３３を使用して、その上に編集入力処理を行なうことができる。
【００４８】
プリンタ８５は、撮影された画像を紙やシールや金属やプラスチックなどの印刷媒体に印刷するためのプリンタであって、昇華型プリンタやサーモオートクローム方式（光定着型直接感熱記録方式）等のプリンタが一般的に用いられる。なお、写真シール作成装置は、プリンタ８５でシールが印刷されるものとして説明を行なうが、印刷媒体はシールに限定されず、他の印刷媒体であっても同様の処理が実行される。
【００４９】
プリンタ８５は、上述の用紙切れなどの状態を第１コンピュータ装置１００ａに通知する。第１コンピュータ装置１００ａは、その状態に応じて制御部１１０に制御信号を送信する。
【００５０】
なお、コンピュータ装置１００に各々接続される構成要素はこのような形態に限定されず、機能ごとに分かれていたり、位置ごとに分かれていたりしてもよい。さらに、コンピュータ装置１００は本実施形態のような２台で構成されていなくてもよく、１台でもよいし、２台以上で構成されていてもよい。
【００５１】
制御部１１０は、第１コンピュータ装置１００ａ、第２コンピュータ装置１００ｂおよび電源制御部１０８の他に、コイン制御部１１３、ストロボ制御部１１４、撮影用スピーカ２８、カーテンユニット１１５、編集用スピーカ３７、印刷中ＬＥＤ８１、印刷エラーＬＥＤ８２、サービスパネル１１６、および遠隔撮影ボタン９７に接続される。
【００５２】
コイン制御部１１３は、コイン投入口に投入されたコインの正当性を検出し、制御部１１０にコインが投入されたことを示す検出信号を送信する。
【００５３】
制御部１１０は、コンピュータ装置１００から受信した制御信号にしたがって、コイン
制御部１１３に対して制御信号を送信する。コイン制御部１１３は、該制御信号にしたがって、コインが投入されないようにコイン投入口をブロックするか、コイン投入口に投入されたコインをコイン排出口から排出することができる。コイン制御部１１３は、前者の場合はコインブロッカとして機能し、後者の場合はコインキャンセラとして機能する。このことで、プレイ中にコイン投入を禁止することができる。
【００５４】
また、上記コイン投入口をブロックしているとき、制御部１１０は、利用状況表示装置５０を点灯する。コイン投入口が受付状態、すなわちプレイの待機状態である場合は、利用状況表示装置５０を消灯する。このようにすることによって、現在の装置の利用状況を外部の人にわかりやすいように提示することができる。また、利用状況だけでなく、通信設定が無効であるか有効であるかがわかるようにしてもよい。すなわち通信設定の状況を判定して、通信設定が有効であれば点灯し、無効であれば消灯する。このようにすることによって、現在装置から画像を送信できるか否かを利用者にわかりやすいように提示することができる。
【００５５】
ストロボ制御部１１４はカメラ２１に接続されて、カメラ２１におけるシャッタタイミングに応じた同期信号を取得する。そして、カメラ２１のシャッタタイミングに同期させて、ストロボ２６を発光させるように制御する。なお、ストロボ制御部１１４は制御部１１０と接続され、発光させるストロボ２６などの閃光照明装置の選定や、ストロボ２６の発光度の設定がなされる。蛍光灯２７などの常灯照明装置も同様に制御部１１０と接続され、その照明度合いなどの設定がなされるようにしてもよい。
【００５６】
制御部１１０は、第１コンピュータ装置１００ａから受信した制御信号（指示コマンドなど）にしたがって、撮影用スピーカ２８に対して指示信号を送信し、写真シール作成装置の撮影プレイにおける操作などの案内やＢＧＭ（Back Ground Music）などを出力する
。同様に制御部１１０は、第２コンピュータ装置１００ｂから受信した制御信号にしたがって、編集用スピーカ３７に指示信号を送信し、写真シール作成装置の編集プレイにおける操作などの案内やＢＧＭなどを出力する。なお、撮影用スピーカ２７または編集用スピーカ３７の音声のボリュームを調整する音量調整つまみは、サービスパネル１１６に備えられる。
【００５７】
また、制御部１１０は、第１コンピュータ装置１００ａから、撮影操作用ディスプレイ２３によって利用者が所望の背景を選択する入力操作にしたがった指示信号を受信し、該指示信号にしたがってカーテンユニット１１５を制御することにより、背景ロールカーテンの巻取りや繰り出しを制御する。このようにカーテンユニット１１５で、モータの動作を制御することによって、利用者が選択した背景画像に対応した背景ロールカーテンを巻取装置から繰り出しセットする。また、第１コンピュータ装置１００ａから受信した制御信号（指示コマンドなど）によって自動的に背景画像に対応した背景ロールカーテンのセットがなされてもよい。
【００５８】
サービスパネル１１６は、投入されたコインの枚数をカウントするコインカウンタ、印刷されたプリントの枚数をカウントするプリントカウンタ、撮影用スピーカ２８または編集用スピーカ３７から出力する音声のボリュームを調整する音量調整つまみ、テストモードを行なうためのテストボタン、コインを投入しなくても装置が利用できるようにするためのサービスボタン等を備えるパネルであって、写真シール作成装置の設置者が各種設定やメンテナンスの操作を行なう際に用いる。サービスパネル１１６は、サービスボタンの操作などの制御操作が行なわれると、その操作にしたがった制御信号を制御部１１０に対して送信する。
【００５９】
制御部１１０は、コンピュータ装置１００から受信した制御信号にしたがって、サービ
スパネル１１６に対して制御信号を送信する。サービスパネル１１６は、該制御信号に従って、コインカウンタやプリントカウンタを動作させる（例えばカウンタを１インクリメントする）。
【００６０】
さらに、制御部１１０は、撮影・印刷用コンピュータ装置１００ｂから、プリンタ８５の状態に応じた制御信号を受信し、該制御信号にしたがって、印刷中ＬＥＤ８１及び印刷エラーＬＥＤ８２を制御する。かかる制御信号によって、印刷中ＬＥＤ８１、および印刷エラーＬＥＤ８２が点灯または点滅する。
【００６１】
ＰＨＳユニット４１は、ＰＨＳカード４２を差込むことによって送信部４０として機能する。本写真シール作成装置は、ＰＨＳカード４２によって、第１コンピュータ装置１００ａの記憶部１０２ａに記憶された画像データなどを外部に送信する。この点については、後に詳細を説明する。
【００６２】
なお、言うまでもなく、写真シール作成装置の形態は図１〜図６に示される具体例に限定されるものではない。すなわち、図１〜図６に記載されない他の機能が備えられていてもよいし、図１〜図６に記載されている機能の必ずしも全てが備えられていなくても構わない。
【００６３】
［写真シール作成装置の接続例］
図７は、上述の写真シール作成装置のネットワーク接続例を示す図である。
【００６４】
様々な店舗に設置される複数の写真シール作成装置１ａ〜１ｃは、インターネットなどのネットワークＮに接続されている。上述のとおり、写真シール作成装置１ａ〜１ｃには、撮影や画像入力（編集操作）により得られた画像データなどを記憶する記憶部１０２ａと、記憶部１０２ａに記憶された画像データなどを外部に送信するための送信部４０が備えられている。本実施の形態における送信部４０は、ＰＨＳカード４２を差込可能なＰＨＳユニット４１である。
【００６５】
また、ネットワークＮには、データベース２０３を備えた画像提供サーバ２０１が、ＬＡＮ回線などの通信部によってルータに接続し、ルータを介して接続されている。ネットワークＮには複数の利用者の携帯電話２０５ａ〜２０５ｃが接続される。
【００６６】
写真シール作成装置１ａ〜１ｃで得られた画像データは記憶部１０２ａの送信フォルダに記憶され、ＰＨＳカード４２を介してネットワークＮに接続された画像提供サーバ２０１へ送信される。画像提供サーバ２０１は、得られた画像データをデータベース２０３に記憶する。
【００６７】
また、携帯電話２０５ａ〜２０５ｃにより、画像提供サーバ２０１およびネットワークＮを介してデータベース２０３に蓄積された画像データをユーザは受信することができ、これにより画像データを携帯電話２０５ａ〜２０５ｃなどの待受け画面などに利用することが可能となる。
【００６８】
［撮影処理／第１コンピュータ装置の処理（１）］
図８および図９を用いて、第１コンピュータ装置１００ａで実行される撮影処理の動作を説明する。撮影処理は撮影空間２で行なわれる。まず、写真シール作成装置の電源スイッチ１０７を押下し、電源を投入すると、第１コンピュータ装置１００ａのＣＰＵ１０１ａは初期化処理を実行する（Ｓ１）。ついで、後述するテストモードなどにより強制的通信無効設定になっているか否かを判定し（Ｓ３）、強制的通信無効設定になっていれば（Ｓ３でＹＥＳ）、通信テストを行なわず、ステップＳ１３へ移行して、タイトルデモ画面を表示する。強制的通信無効設定になっていなければ（Ｓ３でＮＯ）、通信テストを行なう（Ｓ５）。
【００６９】
通信テストでは通信状況のチェックを行なう。通信状況のチェックでは、ＰＨＳカード４２の受信電波の強度チェックと、画像提供サーバ２０１の稼動状況のチェックとを行なう。
【００７０】
受信電波の強度チェックでは、電波測定手段による受信電波の強度の測定を行なうことによって電波の強さを測定する。また、タイマで設定された時間の測定を同時に行なうことによって、通信状況に継続性があるかを判断することもできる。このように、電波の強さと状態の継続性で通信状況の安定性を総合的に判断することが好ましい。
【００７１】
画像提供サーバ２０１の稼動状況のチェックでは、画像提供サーバ２０１にネットワークを介して信号を送信し、その返答具合によって、画像提供サーバ２０１が稼動しているかを判断する。
【００７２】
送信部４０が通信可能な程度に電波状態が良好であり、画像提供サーバ２０１が稼動していると判定された場合、すなわち通信状態が正常である場合は（Ｓ７でＹＥＳ）、通信機能が有効である通信有効設定にする（Ｓ９）。送信部４０の電波状態が悪く通信不可能であるか、画像提供サーバ２０１が稼動していないと判定された場合、すなわち通信状態が正常でない場合は（Ｓ７でＮＯ）、通信機能が無効である通信無効設定にする（Ｓ１１）。
【００７３】
ついで、ＣＰＵ１０１ａは、タイトルデモ画面を表示する（Ｓ１３）。このとき、通信が無効設定になっているか否かを判定する（Ｓ１５）、通信有効設定になっている場合は（Ｓ１５でＮＯ）、図１０（Ａ）が示すような電波状態を示すアイコン５５ａをタイトルデモ画面上に表示する（Ｓ１７）。アイコン５５ａはアンテナを模式的に示した画像であるが、このようなアイコン５５ａに限定するものではなく、通信状況が正常であり通信を利用した機能が有効であることがわかるような表示であればよい。なお、電波の強度によって、アイコン５５ａが示すアンテナの本数を変更してもよい
一方、強制的通信無効設定になっているか、通信無効設定になっている場合は（Ｓ１５でＹＥＳ）、図１０（Ｂ）が示すような通信設定が無効であることを示すアイコン５５ｂを表示する（Ｓ１９）。
【００７４】
ついで、ＣＰＵ１０１ａは、所定の対価（コイン）が投入されたかを判定する（Ｓ２１）。所定の対価（コイン）が投入されていない場合は（Ｓ２１でＮＯ）、サービスパネル１１６に配備されるテストボタンが押下されたかを判定する（Ｓ２３）。テストボタンが押下された場合は（Ｓ２３でＹＥＳ）、テストモード処理を行なう（Ｓ２５）。テストモード処理は後に詳細を説明する。
【００７５】
テストボタンが押下されていない場合は（Ｓ２３でＮＯ）、所定の通信テストを行なう時間か否かを判定し（Ｓ２７）、所定の通信テストを行なう時間である場合は（Ｓ２７でＹＥＳ）、ステップＳ３に戻り所定の通信テストを行なう。所定の通信テストを行なう時間でない場合は（Ｓ２７でＮＯ）、そのままステップＳ２１へ戻り、対価の投入を監視する。このように、装置が利用されていない待機状態の時に、所定の間隔で通信テストを行なうことによって、より現在の通信状況を反映したタイトルデモ画面の表示や通信設定を行なうことができる。
【００７６】
所定の対価（コイン）が投入された場合は（Ｓ２１でＹＥＳ）、撮影プレイを開始する。撮影プレイでは、まず、撮影時の背景、明るさなどを選定する撮影設定を行なう（Ｓ２
９）。ついで、撮影のカウントダウンが行なわれる。これは、ポーズの表示を継続したまま、画面内に、３、２、１と順に表示するとともに音声によりガイダンスを行ない、撮影タイミングをユーザに知らせるものである。そして、撮影タイミングになると撮影（シャッタ動作）が行なわれる（Ｓ３０）。撮影（シャッタ動作）の後に、撮影した画像を確認するためのプレビュー画面が表示されてもよい。
【００７７】
ステップＳ３１において所定回数の撮影（例えばここでは１０回の撮影）が終了したかを判定し、ＹＥＳであればステップＳ３３へ進む。
【００７８】
また、ステップＳ３１でＮＯであれば、ステップＳ２９に戻り、撮影設定を行なう。
また、ステップＳ３１でＹＥＳであれば、編集入力処理で編集を行ないたい撮影画像（編集対象画像）を選択させる処理を行なう（Ｓ３３）。これは、編集の対象となる画像をたとえば４枚選択させるものである。なお、ここで選択されなかった撮影画像も、おまけ画像として編集の対象として編集可能にすることが好ましい。
【００７９】
そして、選択が終了したら、ステップＳ３５で編集空間（落書きコーナー）の準備が完了したかを判定する。これは、編集空間が使用中またはエラーなどの何らかの原因で使用できないときには待機する旨の案内を行なうものである。
【００８０】
移動可能な場合または上述の原因が解消されれば、ステップＳ３５でＹＥＳと判断して、選択された撮影画像及び必要なデータを第２コンピュータ装置１００ｂへ転送する（Ｓ３７）。第２コンピュータ装置１００ｂは、ここで転送されたデータを、図１１の編集・印刷処理のステップＳ５３で受け取る。
【００８１】
［編集・印刷処理／第２コンピュータ装置の処理］
図１１〜図１３を用いて、第２コンピュータ装置１００ｂで実行される編集・印刷処理の動作を説明する。編集・印刷処理は編集空間３ａ，３ｂのいずれか一方で行なわれる。第２コンピュータ装置１００ｂのＣＰＵ１０１ｂは、ステップＳ５１において編集操作用ディスプレイ３１に待機画面を表示する。待機画面表示中は、編集操作用ディスプレイ３１にタイトル画面（商品名、撮影から開始する旨の案内）を表示しながら、撮影画像が第１コンピュータ装置１００ａから送られてくるかを監視する。
【００８２】
ステップＳ５３において転送完了の待機状態となる。これは、図９のステップＳ３７で、画像の転送が開始されたら、編集操作用ディスプレイ３１に「転送中」の案内画面を表示し、すべての撮影画像の転送完了を監視するものである。また、画像転送が完了した後、編集準備のための撮影画像の加工を行なうことも考えられる。
【００８３】
ステップＳ５５において編集入力処理が行なわれる。編集入力処理では、編集操作用ディスプレイ３１に編集画面を表示し、ユーザからスタンプ画像やペン画像などの編集用画像の入力を受付ける。
【００８４】
編集入力処理が終了すると（Ｓ５７でＹＥＳ）、後述するテストモードなどにより強制的通信無効設定になっているか否かを判定し（Ｓ５９）、強制的通信無効設定になっていれば（Ｓ５９でＹＥＳ）、ステップＳ６３へ移行して、印刷レイアウト選択画面を表示する。強制的通信無効設定になっていなければ（Ｓ５９でＮＯ）、第１コンピュータ装置１００ａに、通信テストを行ない、画像提供サーバ２０１に接続して、画像ＩＤを取得開始するよう指示する信号を送信する（Ｓ６１）。このとき、第１コンピュータ装置１００ａで実行される通信チェック処理は後述する。
【００８５】
画像ＩＤは、ユーザがインターネットなどのネットワークを介して画像データを取得す
ることができるＩＤである。これは、ユーザが撮影画像と合成画像（落書き後の画像）とのいずれかを画像提供サーバ２０１から取得するためのＩＤである。画像ＩＤは、具体的にはサーバ２０１に記録された画像にアクセスするためのＵＲＬとパスワードから構成される。
【００８６】
ここで設定された画像ＩＤは、プリントされるシートに印刷される。画像取得ＩＤを用いて、ユーザが携帯電話２００ａ〜２００ｃなどにより画像提供サーバ２０１にアクセスすることで、ユーザは画像を取得することができる。
【００８７】
ついで、ＣＰＵ１０１ｂは、編集操作用ディスプレイ３１に印刷レイアウト選択画面を表示する（Ｓ６３）。ここでは、印刷レイアウトの選択が行なわれる。これは、複数の落書き画像を１枚のシートにどのように印刷するか（大きさ、枚数など）を選択するための処理である。印刷レイアウトの選択が終了したら（Ｓ６５でＹＥＳ）、強制的通信無効設定になっていれば（Ｓ６７でＹＥＳ）、ステップＳ７７へ移る。
【００８８】
強制的通信無効設定になっていなければ（Ｓ６７でＮＯ）、通信テストの結果が第１コンピュータ装置１００ａから送信されてきているか否かを判定する（Ｓ６９）。このとき、通信テストの結果が第１コンピュータ装置１００ａから送信されてきていなければ（Ｓ６９でＮＯ）、時間が経過しすぎているので通信状況が良好でないと判断し、通信無効設定にする（Ｓ７５）。通信テストの結果が第１コンピュータ装置１００ａから送信されていれば（Ｓ６９でＹＥＳ）、通信結果が正常であり、画像ＩＤが取得できているかどうかを判定する（Ｓ７１）。通信結果が正常で、画像ＩＤも取得できている場合（Ｓ７１でＹＥＳ）、通信有効設定にして（Ｓ７３）、通信結果が正常でないか、画像ＩＤも取得できていない場合（Ｓ７１でＮＯ）、通信無効設定にする（Ｓ７５）。そしてステップＳ７７へ移る。
【００８９】
ステップＳ７７では、第２コンピュータ装置１００ｂから、第１コンピュータ装置１００ａへ印刷に必要なデータが転送される。このとき、第１コンピュータ装置１００ａで実行される印刷処理は後述する。データの転送が完了したら、プリンタ８５によって印刷が開始される。
【００９０】
その後、第２コンピュータ装置１００ｂの処理は図１３のステップＳ７９に移る。ここでは、印刷の完了を待つ間に、ユーザは携帯電話で撮影した画像を取得することができる「携帯へ画像を転送」機能か、らくがきやポーズの見本となるような画像を閲覧できる「らくがき見本」機能のいずれかの機能を実行させることができる。ここで「機能」とは、印刷中のユーザ待機時間を有効に活用するために実行する処理をいう。それぞれの機能を実行する制限時間は、印刷が完了すると想定される時間（たとえば９０秒）に予め設定されている。用紙切れなど何らかの原因で印刷完了までに想定される時間が長くなるような場合は、これら機能の制限時間は延長される。また、プリンタ８５の印刷完了信号によって印刷が完了したと判定される時間まで、上述の機能を実行可能にしてもよい。
【００９１】
ステップＳ７９において、ＣＰＵ１００ｂは、現在の通信設定が無効設定になっているか否かを判定する。現在の通信設定が無効設定になっていれば（Ｓ７９でＹＥＳ）、通信を利用した機能を選択できないようにする。すなわち、後述の「携帯へ画像を転送」という機能が使用できなくなる。ここでは、無効設定であれば、見本画像閲覧画面を表示し「らくがき見本」機能が使用できるようになっているが（Ｓ８５）、その他の機能（通信機能を用いないゲームなど）が選択できるようになっていてもよい。
【００９２】
現在の通信設定が有効になっていれば（Ｓ７９でＮＯ）、図１４が図示する機能を選択するための画面が編集操作用ディスプレイ３１に表示される（Ｓ８１）。
【００９３】
図１４は、ステップＳ８１で編集操作用ディスプレイ３１に表示される機能選択画面の具体例を示す図である。この画面においては、「らくがき見本」と「携帯へ画像を転送」の２つの選択肢が表示され、ユーザにどちらの機能を選択するかの入力を促す。
【００９４】
「らくがき見本」が選択されたら（Ｓ８３でＮＯ）、編集操作用ディスプレイ３１に見本画像閲覧画面を表示する（Ｓ８５）。ここでは、見本画像を閲覧したり、自己の撮影画像または合成画像（編集後の画像）を見本画像として登録したりすることができる。
【００９５】
「携帯へ画像を転送」が選択されたら（Ｓ８３でＹＥＳ）、ステップＳ８７において携帯送信用画像を選択する画面が表示される（Ｓ８７）。
【００９６】
図１５は、携帯送信用画像選択画面を示す図である。
図に示されるように、ユーザは撮影された画像および落書きされた画像の中から転送する画像を１枚選択することができる。ここで選択の対象は、図９のステップＳ３３で選択された４枚の撮影画像とそれらに対して落書きが行なわれた合成画像４枚（計８枚）であるものとする。
【００９７】
ステップＳ８９において送信先アドレスを入力する画面が表示される。
図１６は、転送先アドレス入力画面の具体例を示す図である。
【００９８】
図に示されるように、１つの画面に２つのアドレス入力画面が表示され、左右でそれぞれ別の利用者のアドレスを入力することができる。
【００９９】
アドレスの入力が終了したら（Ｓ９１でＹＥＳ）、第１コンピュータ装置１００ａに必要なデータを転送する（Ｓ９３）。
【０１００】
ステップＳ９３において、転送されたデータは第１コンピュータ装置１００ａによって画像提供サーバ２０１へ送信される。このとき、第１コンピュータ装置１００ａで実行される画像送信処理は後述する。
【０１０１】
ここで送信されるデータは、画像４枚と、画像ＩＤと、メールアドレスである。４枚の画像は携帯送信用画像選択画面で選択された画像と、無作為に抽出された画像３枚であり、撮影画像２枚と合成画像（落書き後の画像）２枚が送信される。例えば、有料のサービスに加入した場合、転送された全ての画像が取得できるようにするなどのサービスを行なうと、サービスの集客力が高まる。
【０１０２】
また、携帯電話転送機能が選択されていないときには、サーバに画像を送信しないようにしてもよい。この場合は、画像ＩＤがシートに印刷されない。
【０１０３】
ステップＳ９５において印刷終了画面を表示する。これは、「シールは横から出てくるよ」などシール取出口への移動の案内をユーザに対し行ない、一連のプレイの終了を告知するものである。
【０１０４】
なお、図１１のステップＳ６１に示す第２コンピュータ装置１００ｂから第１コンピュータ装置１００ａへの指示、または図１２のステップＳ６９に示す第１コンピュータ装置１００ａによる結果の受信は、第１コンピュータ装置１００ａまたは第２コンピュータ装置１００ｂのいずれかの記憶部１０２に記憶されるテキストファイルへ書きこまれた内容を、双方が監視して行なうようにすればよい。
【０１０５】
［通信チェック処理／第１コンピュータ装置の処理（２）］
図１７を用いて、第１コンピュータ装置１００ａで実行される通信チェック処理の動作を説明する。
【０１０６】
これは編集終了後に、第２コンピュータ装置１００ｂの要請をうけて、通信テストと画像ＩＤの取得を行う処理である。
【０１０７】
ステップＳ１０１において、第２コンピュータ装置１００ｂから通信テスト、および画像ＩＤの取得の指示を受付けるまで待機する。これは、図１１のステップＳ６１における第２コンピュータ１００ｂからの指示を受付けるものである。
【０１０８】
受付けたのであれば、ステップＳ１０３において通信テストを行なう。これは具体的には送信部４０を用いて画像提供サーバ２０１へ接続を試み、画像ＩＤが画像提供サーバ２０１から取得できたかに基づいて、通信ができたか否かを判定するものである。なお、画像提供サーバ２０１のデータベース２０３の特定のフォルダのファイルにアクセスできるか否かに基づいて判定することとしてもよい。
【０１０９】
ステップＳ１０５において通信が正常に行なえるかを判定し、ＹＥＳであれば、ステップＳ１０７において、取得された画像ＩＤを保持する。ステップＳ１１１において、通信が正常に行なえたという結果を保持する。ステップＳ１１３において、画像ＩＤと保持された結果とを第２コンピュータ装置１００ｂへ送信する。その後、ステップＳ１０１へ戻る。
【０１１０】
また、ステップＳ１０５でＮＯであれば、ステップＳ１０９で通信結果が異常であることを保持し、ステップＳ１１３へ進む。
【０１１１】
［印刷処理／第１コンピュータ装置の処理（３）］
図１８を用いて、第１コンピュータ装置１００ａで実行される印刷処理の動作を説明する。これは、シールシートなどに画像を印刷する処理である。
【０１１２】
ステップＳ１２１において、第２コンピュータ装置１００ｂからデータが転送されてきたかを判定する。これは、図１２のステップＳ７７における第２コンピュータ装置１００ｂからの印刷画像のデータを受信するものである。ステップＳ１２３において、プリンタ８５を用いて印刷が可能であるかを判定し、ＹＥＳとなるまで待機する。印刷可能となれば、ステップＳ１２５において印刷を開始し、ステップＳ１２１へ戻る。
【０１１３】
［画像送信処理／第１コンピュータ装置の処理（４）］
図１９を用いて、第１コンピュータ装置１００ａで実行される画像送信処理を説明する。これは、画像提供サーバ２０１に、選択された携帯送信用画像を送信する処理である。
【０１１４】
ステップＳ１３１において、送信フォルダに未送信のデータがあるかを判定する。ＮＯであれば、ステップＳ１３３において第２コンピュータ装置１００ｂからデータが転送されてくるまで待機する。転送されてくるとステップＳ１３５において、それを送信フォルダに格納する。
【０１１５】
ステップＳ１３７において、送信フォルダ内のデータを画像提供サーバ２０１へ送信する処理を行なう。ステップＳ１３９において、送信が成功したかを判定し、ＹＥＳであればステップＳ１３１へ戻る。
【０１１６】
ステップＳ１３９で送信が失敗したのであれば、ステップＳ１４１において、所定回数
失敗したかを判定する。ここでＮＯであれば、ステップＳ１３７へ戻り、ＹＥＳであればステップＳ１４３において、通信無効の設定を行ない、ステップＳ１４５においてエラーから復帰するまで待機する。復帰したのであれば、ステップＳ１４７において通信を有効と設定し、ステップＳ１３１へ戻る。
【０１１７】
また、ステップＳ１３１でＹＥＳであれば、ステップＳ１３７へ進む。
このように、未送信のデータがあれば、それらを順次サーバへ送信するよう処理し、未送信のデータがなければ新たなデータをサーバへ送信するよう処理が行なわれる。これにより、利用者の利用順に画像を送信する事が可能となる。
【０１１８】
また、この例のように、送信を所定回数繰り返しても送信が成功しない場合において、通信を無効と設定するときは、後述のテストモードによる強制的な通信無効が設定された状態と同様な状態としてもよい。具体的には、図８のステップＳ３、図１１のステップＳ５９、および図１２のステップＳ６７においてＹＥＳに進むように制御するものである。
【０１１９】
なお、第１コンピュータ装置１００ａによる撮影処理（図８、図９）、通信チェック処理（図１７）、印刷処理（図１８）、および画像送信処理（図１９）は、独立して並行に動作するよう構成されている。
【０１２０】
［画像ＩＤ発行処理／画像提供サーバの処理（１）］
図２０を用いて、写真シール作成装置の要請に対して、画像ＩＤを発行し写真シール作成装置に送信する、画像提供サーバ２０１の処理を説明する。
【０１２１】
ステップＳ２０１において、写真シール作成装置からの画像ＩＤ発行要求があるまで待機する。画像ＩＤ発行要求があれば、ステップＳ２０３において画像を特定することができる画像ＩＤを作成する。ステップＳ２０５において、画像ＩＤ発行要求を出力した写真シール作成装置に対して、画像ＩＤを送信する。
【０１２２】
ステップＳ２０７において送信が成功したかを判定し、ＹＥＳであればステップＳ２０１へ戻り、ＮＯであればステップＳ２０９でエラーの処理を行なった後、ステップＳ２０１へ戻る。
【０１２３】
［画像登録処理／画像提供サーバの処理（２）］
図２１を用いて、写真シール作成装置で作成した画像を受信して、データベース２０３に登録する画像提供サーバ２０１の処理を説明する。
【０１２４】
ステップＳ２２１において、写真シール作成装置からの携帯電話送信用画像の受信があるまで待機する。受信があれば、ステップＳ２２３において受信された画像をデータベース２０３に格納する。
【０１２５】
ステップＳ２２５において、受信された画像を対応するメールアドレスに送信する。
ステップＳ２２７において送信が成功したかを判定し、ＹＥＳであればステップＳ２２１へ戻り、ＮＯであればステップＳ２２９でエラーの処理を行なった後、ステップＳ２２１へ戻る。
［画像提供処理／画像提供サーバの処理（３）］
図２２を用いて、実際にユーザの携帯電話に画像を送信する画像提供サーバ２０１の処理を説明する。
【０１２６】
ステップＳ２３１において、携帯電話からの携帯電話送信用画像の送信要求があるまで待機する。要求があれば、ステップＳ２３３においてその携帯電話に表示する画像ＩＤの
入力画面を送信する。
【０１２７】
図２３は、ステップＳ２３３の処理により携帯電話に表示される画面を示す図である。
図に示される画面を介して、ユーザは画像を取得するためのＩＤを入力する。
【０１２８】
ステップＳ２３５において画像提供サーバ２０１は、ユーザにより入力されたＩＤが既に発行した画像ＩＤと同じものであるかを判定する。ステップＳ２３７において判定結果がＯＫであれば、ステップＳ２３９において入力されたＩＤに対応する携帯送信用画像を表示する画面を携帯電話に送信する。
【０１２９】
図２４は、ステップＳ２３９の処理により携帯電話に表示される画面を示す図である。
図に示される画面により、ユーザは画像を取得することができる。また、画面中の「サイズ変更」を操作することでサイズの異なる画像を取得することができる。
【０１３０】
ステップＳ２３９での処理の後、ステップＳ２３１へ戻る。また、ステップＳ２３７において判定結果がＮＧであればステップＳ２４１でエラーの表示処理を行なった後、ステップＳ２３１へ戻る。
【０１３１】
図２５は、ステップＳ２４１の処理により携帯電話に表示される画面を示す図である。
図に示される画面により、ユーザはＩＤが間違っていることを知ることができる。
【０１３２】
［テストモード処理］
次に図２６および図２７を用いて、図８のステップＳ２５のテストモードでの処理を説明する。
【０１３３】
ステップＳ３０１において、メインメニュー画面を表示する。
図２８は、ステップＳ３０１において表示されるメインメニュー画面の具体例を示す図である。
【０１３４】
図を参照してメインメニューにおいてユーザは、各種機器のテスト、データの処理、設定などを行なうことができる。ここでは、メインメニューから「通信設定」が選ばれたときの処理について説明する。
【０１３５】
図２６のステップＳ３０３において、メインメニューから「通信設定」が選ばれたときには、ステップＳ３０５において通信設定の画面を表示する。
【０１３６】
図２９は、通信設定画面の具体例を示す図である。
図に示されるように、ユーザは通信設定画面において、強制的通信無効のＯＮ／ＯＦＦを設定することができる。強制的通信無効がＯＮであれば、電波の状態が良くても通信を行なわないよう制御が行なわれ、ＯＦＦであれば電波の状態に応じて通信の有効／無効を設定するよう制御が行なわれる。
【０１３７】
また、ユーザは通信テストを行なうことができ、通信速度を選択することができる。
図２６のステップＳ３０７において、強制的通信無効がＯＮとされたかが判定される。ＹＥＳであれば、ステップＳ３０８で強制的通信無効を設定し、ステップＳ３０７へ戻る。
【０１３８】
ステップＳ３０７でＮＯであれば、ステップＳ３３０において、強制的通信無効がＯＦＦとされたかが判定される。ＹＥＳであれば、ステップＳ３３１で強制的通信無効の設定を解除し、ステップＳ３０７へ戻る。
【０１３９】
ステップＳ３３０でＮＯであれば、ステップＳ３０９において通信テスト開始が選択されたかが判定される。ＹＥＳであれば、ステップＳ３１０で通信テストが行なわれる。ステップＳ３１１で通信が正常に行なわれるかが判定され、ＹＥＳであればステップＳ３１３で通信を有効と設定し、ステップＳ３１７において通信状況によって最適な通信速度を設定し、それをユーザに表示する。
【０１４０】
図３０は、ステップＳ３１７において表示される画面の具体例を示す図である。
図に示されるように通信テストの結果の最適な通信速度がユーザに表示され、またその通信速度が設定される。
【０１４１】
図２６のステップＳ３１７での処理の後、ステップＳ３０７へ戻る。
また、ステップＳ３１１でＮＯであればステップＳ３１５で通信無効を設定し、ステップＳ３０７へ戻る。
【０１４２】
また、ステップＳ３０９でＮＯであれば、図２７のステップＳ３１９で通信速度の設定がなされたかを判定する。ＹＥＳであれば、ステップＳ３２１において選択された通信速度に設定を行ない、ステップＳ３０７へ戻る。
【０１４３】
ステップＳ３１９でＮＯであれば、ステップＳ３２３において「メインメニューへ戻る」のボタンが押されたかを判定し、ＹＥＳであれば現在の通信設定を保存し、ステップＳ３０１へ戻る。ステップＳ３２３でＮＯであれば、ステップＳ３０７へ戻る。
【０１４４】
このようにして、テストモードにおいては強制的に通信設定を無効にするモードを選択することができる。また、通信状況に応じて通信速度を設定することができる。
【０１４５】
なお、ステップＳ３１３で通信が有効に設定された場合、強制的通信無効の設定を自動的にＯＦＦにするようにしてもよい。
【０１４６】
同様に、ステップＳ３１５で通信が無効に設定された場合、強制的通信無効の設定を自動的にＯＮにするようにしてもよい。また、ステップＳ３１５で通信が無効に設定された場合、テストモードによる強制的通信無効の設定はそのままで、画像送信処理で説明したように、図８のステップＳ３、図１１のステップＳ５９、および図１２のステップＳ６７においてＹＥＳに進むように制御してもよい。
【０１４７】
［実施の形態における効果］
以上のように本実施の形態によると、電波の状態や画像提供サーバ２０１の状況（通信状況）をプレイ毎にチェックすることができ、通信状況に応じた最適な設定を行なうことができる。すなわち、通信テストを行ない、通信状況にあわせて設定（モード）を自動的に変更することができるという効果がある。また、通信状況にあわせて設定が自動的に行なわれるので、時間帯毎の電波状況の差や、画像提供サーバの稼動状況を気にしなくても装置を最適な状態で常に使用することができるという効果がある。
【０１４８】
また、タイトルデモ画面（図１０）に通信状況を模式的に示す案内（アイコン）を表示することで、外部のユーザに現在の通信状況をわかり易く表示できるという効果がある。
【０１４９】
さらに、通信を行なうことができない時には、通信を使うプレイができないようにすることで（図１３のステップＳ７９でＹＥＳ）、通信を行なえないのに、使えない機能が選択されるということがなくなる。
【０１５０】
また、強制的通信無効を設定することもできるため、通信を使いたくない店舗などにとっても装置を有効に使用できるという効果がある。
【０１５１】
［その他］
なお上記の実施の形態では、利用者がコインを投入する前の通信テスト（図８のステップＳ５）の結果が正常で、通信が有効な旨の案内を確認して利用者が装置の利用を開始したものの、その後の通信テスト（図１１のステップＳ６１の指示による通信テスト）の結果が異常となり、通信機能がプレイできなくなる場合が考えられる。このような場合に、利用者は不満を抱く事となる。
【０１５２】
このような事情を考慮し、図８に示す第１のコンピュータ装置の処理では、ステップＳ５〜Ｓ１１の通信テスト及び判定を行なわず、強制的な通信無効設定のみを判定し（Ｓ３）、その結果をアイコン表示に反映させるように制御してもよい。
【０１５３】
また、図８のステップＳ１７で通信有効と表示した利用者に対しては、その後の通信状態に拠らず、図１３のステップＳ７９でＮＯ、つまり携帯送信機能を選択できるように制御してもよい。この場合、電波状態が良くなるのを待って、画像が画像提供サーバに送信されることとなる。
【０１５４】
また、本発明は通信機能を有する装置であれば、ゲーム機やコンピュータ装置に適用することも可能である。
【０１５５】
また、送信部４０は、第２コンピュータ装置１００ｂに接続するように構成してもよいが、編集処理などの高負荷がかかる処理を行う第２コンピュータ装置１００ｂよりも、第１コンピュータ装置１００ａに接続することが、両コンピュータ装置の負荷の分配の観点から望ましい。
【０１５６】
さらに、図８のステップＳ２７はなくてもよく、待機時に常に通信テストを繰返すようにしても良い。
【０１５７】
また、上述の写真シール作成装置のコンピュータ装置１００の制御方法を、プログラムとして提供することもできる。このようなプログラムは、コンピュータに付属するフレキシブルディスク、ＣＤ−ＲＯＭ、ＤＶＤ−ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、電気通信回線や衛星通信回線などのネットワークを通じて、プログラムを提供することもできる。
【０１５８】
提供されるプログラム製品は、ハードディスクなどのプログラム格納部にインストールされて実行される。なお、プログラム製品は、プログラム自体と、プログラムが記録された記録媒体とを含む。
【０１５９】
［変形例］
以下、上記実施の形態における変形例について説明する。
【０１６０】
図３１および３２は、図８のフローチャート（第１コンピュータ装置の処理（１））の変形例を示すフローチャートである。
【０１６１】
まず、写真シール作成装置の電源スイッチ１０７を押下し、電源を投入すると、第１コンピュータ装置１００ａのＣＰＵ１０１ａは初期化処理を実行する（Ｓ１）。ついで、テストモードなどにより強制的通信無効設定になっているか否かを判定し（Ｓ３）、強制的通信無効設定になっていれば（Ｓ３でＹＥＳ）、通信テストを行なわず、ステップＳ１３（図３２）へ移行して、タイトルデモ画面を表示する。強制的通信無効設定になっていなければ（Ｓ３でＮＯ）、画像ＩＤがコンピュータ装置の記憶部に保存されているかが判定される（Ｓ５０１）。
【０１６２】
上記実施の形態では、プレイ毎に画像ＩＤを取得することとしていたので、利用者が画像を送信しない選択をした場合などに、取得した画像ＩＤが無駄になってしまうという問題がある。
【０１６３】
そこで本実施の形態においては、常に１つの画像ＩＤを写真シール作成装置の記憶部に保持しておき、画像ＩＤがない場合のみ、画像提供サーバに画像ＩＤの取得指示を出す。これにより、画像ＩＤが無駄にならず、効率利用できるという効果がある。
【０１６４】
また、画像ＩＤが記憶部に保持されてないということは、通信できないということを示すので、実質的に通信チェックを行なうことができる。
【０１６５】
画像ＩＤがある場合（Ｓ５０１でＹＥＳ）、通信テストを行ない（Ｓ５）、通信状況のチェックを行なう。通信状況のチェックでは、ＰＨＳカード４２の受信電波の強度チェックと、画像提供サーバ２０１の稼動状況のチェックとを行なう。
【０１６６】
受信電波の強度チェックでは、電波測定手段による受信電波の強度の測定を行なうことによって電波の強さを測定する。また、タイマで設定された時間の測定を同時に行なうことによって、通信状況に継続性があるかを判断することもできる。このように、電波の強さと状態の継続性で通信状況の安定性を総合的に判断することが好ましい。
【０１６７】
画像提供サーバ２０１の稼動状況のチェックでは、外部に設置されている画像提供サーバ２０１にネットワークを介して信号を送信し、その返答具合によって、画像提供サーバ２０１が稼動しているかを判断する。
【０１６８】
また、画像ＩＤがない場合（Ｓ５０１でＮＯ）、通信テストおよび画像ＩＤの取得指示を出す（Ｓ５０３）。
【０１６９】
送信部４０が通信可能な程度に電波状態が良好であり、画像提供サーバ２０１が稼動していると判定された場合、すなわち通信状態が正常である場合は（Ｓ７でＹＥＳ）、画像ＩＤの取得指示を出しているかを判定し（Ｓ５０５）、ＹＥＳであればステップＳ５０７へ、ＮＯであればステップＳ９へ進む。
【０１７０】
ステップＳ５０７においては、画像ＩＤを取得したかを判定し、ＹＥＳであればステップＳ５０９へ、ＮＯであればステップＳ１１へ進む。
【０１７１】
ステップＳ５０９においては、画像ＩＤを記憶し、通信機能が有効である通信有効設定にする（Ｓ９）。その後、画像ＩＤを確定した後（Ｓ５１１）、ステップＳ１３へ進む。この画像ＩＤは、後に携帯電話に画像を送信する機能が使用された場合に、該機能の処理において使用される。
【０１７２】
送信部４０の電波状態が悪く通信不可能であるか、画像提供サーバ２０１が稼動していないと判定された場合、すなわち通信状態が正常でない場合（Ｓ７でＮＯ）、または画像ＩＤを取得できなかった場合（Ｓ５０７でＮＯ）は、通信機能が無効である通信無効設定にする（Ｓ１１）。その後ステップＳ１３へ進む。
【０１７３】
ステップＳ１３で、ＣＰＵ１０１ａは、タイトルデモ画面を表示する（Ｓ１３）。このとき、通信が無効設定になっているか否かを判定する（Ｓ１５）、通信有効設定になっている場合は（Ｓ１５でＮＯ）、図１０（Ａ）が示すような電波状態を示すアイコン５５ａをタイトルデモ画面上に表示する（Ｓ１７）。アイコン５５ａはアンテナを模式的に示した画像であるが、このようなアイコン５５ａに限定するものではなく、通信状況が正常であり通信を利用した機能が有効であることがわかるような表示であればよい。なお、電波の強度によって、アイコン５５ａが示すアンテナの本数を変更してもよい
一方、強制的通信無効設定になっているか、通信無効設定になっている場合は（Ｓ１５でＹＥＳ）、図１０（Ｂ）が示すような通信設定が無効であることを示すアイコン５５ｂを表示する（Ｓ１９）。
【０１７４】
ついで、ＣＰＵ１０１ａは、所定の対価（コイン）が投入されたかを判定する（Ｓ２１）。所定の対価（コイン）が投入されていない場合は（Ｓ２１でＮＯ）、サービスパネル１１６に配備されるテストボタンが押下されたかを判定する（Ｓ２３）。テストボタンが押下された場合は（Ｓ２３でＹＥＳ）、テストモード処理を行なう（Ｓ２５）。
【０１７５】
テストボタンが押下されていない場合は（Ｓ２３でＮＯ）、所定の通信テストを行なう時間か否かを判定し（Ｓ２７）、所定の通信テストを行なう時間である場合は（Ｓ２７でＹＥＳ）、ステップＳ３に戻り所定の通信テストを行なう。所定の通信テストを行なう時間でない場合は（Ｓ２７でＮＯ）、そのままステップＳ２１へ戻り、対価の投入を監視する。このように、装置が利用されていない待機状態の時に、所定の間隔で通信テストを行なうことによって、より現在の通信状況を反映したタイトルデモ画面の表示や通信設定を行なうことができる。
【０１７６】
所定の対価（コイン）が投入された場合は（Ｓ２１でＹＥＳ）、撮影プレイを開始する。撮影プレイの処理であるステップＳ２９以降の処理は、図９のそれと同じであるためここでの説明を繰返さない。
【０１７７】
図３３〜３５は、図１１〜１３のフローチャート（第２コンピュータ装置の処理）の変形例を示すフローチャートである。
【０１７８】
第２コンピュータ装置１００ｂのＣＰＵ１０１ｂは、ステップＳ５１において編集操作用ディスプレイ３１に待機画面を表示する。待機画面表示中は、編集操作用ディスプレイ３１にタイトル画面（商品名、撮影から開始する旨の案内）を表示しながら、撮影画像が第１コンピュータ装置１００ａから送られてくるかを監視する。
【０１７９】
ステップＳ５３において転送完了の待機状態となる。これは、図９のステップＳ３７で、画像の転送が開始されたら、編集操作用ディスプレイ３１に「転送中」の案内画面を表示し、すべての撮影画像の転送完了を監視するものである。また、画像転送が完了した後、編集準備のための撮影画像の加工を行なうことも考えられる。
【０１８０】
ステップＳ５５において編集入力処理が行なわれる。編集入力処理では、編集操作用ディスプレイ３１に編集画面を表示し、ユーザからスタンプ画像やペン画像などの編集用画像の入力を受付ける。
【０１８１】
編集入力処理が終了すると（Ｓ５７でＹＥＳ）、ＣＰＵ１０１ｂは、編集操作用ディスプレイ３１に印刷レイアウト選択画面を表示する（Ｓ６３）。ここでは、印刷レイアウトの選択が行なわれる。これは、複数の落書き画像を１枚のシートにどのように印刷するか（大きさ、枚数など）を選択するための処理である。印刷レイアウトの選択が終了したら（Ｓ６５でＹＥＳ）、ステップＳ７７では、第２コンピュータ装置１００ｂから、第１コンピュータ装置１００ａへ印刷に必要なデータが転送される。このとき、第１コンピュータ装置１００ａで実行される印刷処理は後述する。
【０１８２】
その後、第２コンピュータ装置１００ｂの処理は図３４のステップＳ６０１に移る。
ここでは、画像ＩＤがあるかを判定し（Ｓ６０１）、ＹＥＳであればステップＳ７９へ進み、ＮＯであればステップＳ８５へ進む。ステップＳ８５へ進むのは、第１コンピュータ装置に画像ＩＤが記録されていなければ、携帯電話に画像を送信する機能が選択できないようにするものである。
【０１８３】
ステップＳ７９においては、通信無効の設定となっているかを判定し、ＹＥＳであればステップＳ８５へ進み、ＮＯであればステップＳ８１へ進む。ステップＳ８５へ進むのは、通信無効となっていれば、携帯電話に画像を送信する機能が選択できないようにするものである。なお、ステップＳ７９の処理を省略し、ステップＳ６０１でＹＥＳであればすぐにステップＳ８１に進むようにしても良い。
【０１８４】
現在の通信設定が有効になっていれば（Ｓ７９でＮＯ）、図１４が図示する機能を選択するための画面が編集操作用ディスプレイ３１に表示される（Ｓ８１）。
【０１８５】
この画面においては、「らくがき見本」と「携帯へ画像を転送」の２つの選択肢が表示され、ユーザにどちらの機能を選択するかの入力を促す。
【０１８６】
「携帯へ画像を転送」が選択されたら（Ｓ８３でＹＥＳ）、ステップＳ６０７において、第１コンピュータ装置へ画像ＩＤを使用する旨の指示を送る。その後、ステップＳ８７において携帯送信用画像を選択する画面（図１５）が表示される（Ｓ８７）。
【０１８７】
ステップＳ８９において送信先アドレスを入力する画面（図１６）が表示される。
その後、ステップＳ６１３においてドメインボタン（図１６においては「＠」以降のドメイン名を一括入力するためのボタンである、黒地で示されるボタン）が押下されているかを判定する。ＹＥＳであれば、アドレスの入力が完了したことを示すので、ステップＳ６１５において決定ボタン（図１６の下にあるボタン）を表示する。
【０１８８】
ドメインボタンによって、ユーザは携帯電話会社（キャリア）のドメインを容易に入力することが可能となる。
【０１８９】
ステップＳ６１７において、決定ボタンが押されたかを判定し、ＹＥＳであれば、ステップＳ６２３において第１コンピュータ装置へ、画像ＩＤ情報、画像情報、メールアドレスを含むデータを転送する。
【０１９０】
ステップＳ９５において印刷終了画面を表示する。これは、「シールは横から出てくるよ」などシール取出口への移動の案内をユーザに対し行ない、一連のプレイの終了を告知するものである。その後、ステップＳ５１へ戻る。
【０１９１】
また、ステップＳ６１３またはＳ６１７のいずれかでＮＯであれば、ステップＳ６１９で所定時間が経過したかを判断することで、タイムアップとなったかを判定する。ＮＯであれば、ステップＳ６１３へ戻り、ＹＥＳであれば、ステップＳ６２１で第１コンピュータ装置へ、メールアドレスを含まない、画像ＩＤ情報、画像情報のデータを転送する。その後、ステップＳ９５へ進む。
【０１９２】
メールアドレスを入力している最中に、タイムアップでアドレス入力が終了してしまうと、入力途中のメールアドレスに画像を送信してしまい、誤送信となることがあるという問題がある。
【０１９３】
そこで、本実施の形態においてはアドレスが入力されたとしても決定ボタン（ＯＫボタン）が押されていない場合は、画像ＩＤ情報、画像情報のみを画像提供サーバに送信し、入力されたメールアドレス情報は送信しない。画像提供サーバは、写真シール作成装置から送信されてきた情報にメールアドレス情報が含まれていなければ、画像を送信しない。このような処理により、誤ったメールアドレスに画像が送信されることはない。
【０１９４】
また、ドメインボタンが押されてドメイン名が入力されていなければ、決定ボタンが表示されず、決定ボタンを押すことができないため、中途半端に入力されたメールアドレスによって誤送信されることが防止される。
【０１９５】
なお、メールアドレス情報が画像提供サーバに送信されなくても、画像ＩＤと画像とは画像提供サーバに送信されるので、シールシートに印字された画像ＩＤに基づいて、ユーザは後から画像を取得することができる。
【０１９６】
また、図３４のステップＳ８３においてＮＯであれば、ステップＳ６０３においてその他の機能（ここでは、「らくがき見本」の機能）が選択されたかを判定する。ＹＥＳであれば、ステップＳ６０９において、第１コンピュータ装置へ画像ＩＤを使用しない旨の指示を送る。
【０１９７】
その後、編集操作用ディスプレイ３１に見本画像閲覧画面を表示する（Ｓ８５）。ここでは、見本画像を閲覧したり、自己の撮影画像または合成画像（編集後の画像）を見本画像として登録したりすることができる。
【０１９８】
ステップＳ６１１で所定時間が経過したかを判定し、ＹＥＳとなればステップＳ９５へ進む。
【０１９９】
また、ステップＳ６０３でＮＯであれば、ステップＳ６０５で所定時間が経過したかを判定し、ＹＥＳであればステップＳ６０９へ、ＮＯであればステップＳ８３へ進む。
【０２００】
図３６は、図１８のフローチャート（第１コンピュータ装置の処理（３））の変形例を示すフローチャートである。
【０２０１】
図３６を用いて、第１コンピュータ装置１００ａで実行される印刷処理の動作を説明する。これは、シールシートなどに画像を印刷する処理である。
【０２０２】
ステップＳ１２１において、第２コンピュータ装置１００ｂからデータが転送されてきたかを判定する。ＮＯであればそのまま待機し、ＹＥＳとなればステップＳ７０１において印刷する画像データを作成する。ステップＳ７０３において、画像ＩＤが無いか、または通信無効の設定となっているかを判定する。いずれかでＹＥＳであればステップＳ７１３へ進み、いずれともＮＯであればステップＳ７０５へ進む。
【０２０３】
ステップＳ７０５においては、第２コンピュータ装置から画像ＩＤの取扱いの指示がなされているかを判定する。ＹＥＳであれば、ステップＳ７０９において、画像ＩＤを使用する指示であるかを判定する。
【０２０４】
ステップＳ７０９でＹＥＳであれば、ステップＳ７１１において、印刷画像データ中に画像ＩＤを組込んで印刷データを作成する。ステップＳ７１５において、記憶部から使用した画像ＩＤを消去する。ステップＳ１２３で、プリンタを用いて印刷可能かを判定し、ＹＥＳであればステップＳ１２５で印刷を開始した後、ステップＳ１２１へ戻る。また、ステップＳ１２３でＮＯであれば、ステップＳ１２３に戻る。
【０２０５】
ステップＳ７０５でＮＯであれば、ステップＳ７０７において、所定時間が経過したかを判定し、ＹＥＳであればステップＳ７１３で印刷画像データをそのまま印刷データとし、ステップＳ１２３へ進む。
【０２０６】
ステップＳ７０７でＮＯであれば、ステップＳ７０５へ戻る。
図３７は、図２１のフローチャート（画像提供サーバの処理（２））の変形例を示すフローチャートである。
【０２０７】
図３７を用いて、写真シール作成装置で作成した画像を受信して、データベース２０３に登録する画像提供サーバ２０１の処理を説明する。
【０２０８】
ステップＳ２２１において、写真シール作成装置からの携帯電話送信用画像の受信があるまで待機する。受信があれば、ステップＳ２２３において受信された画像をデータベース２０３に格納する。
【０２０９】
受信された画像にメールアドレスが添付されている場合には、ステップＳ２２５において、受信された画像を対応するメールアドレスに送信する。
【０２１０】
ステップＳ２２７において送信が成功したかを判定し、ＹＥＳであればステップＳ２２１へ戻り、ＮＯであればステップＳ２２９でエラーの処理を行なった後、ステップＳ２２１へ戻る。
【０２１１】
なお、ステップＳ８０１でメールアドレスがない場合は、ステップＳ２２１に戻る。
［変形例における効果など］
以上のようにして本変形例によると、アドレス入力の際に、携帯電話会社（キャリア）のドメインを一発入力するドメインボタンが押されたとき、はじめて決定ボタンが表示される。このような処理により、アドレス入力の途中で決定ボタンが押されて、間違ったメールアドレスに誤送信されてしまうことを防止することができる。
【０２１２】
ドメインボタンが押される場合、メールアドレスのアカウント部分は正当に入力されたもの（入力済）である可能性が高い。したがって、ドメインボタンが押された後に決定ボタンを受付けることにより、メールアドレスが誤入力である可能性を低くすることができる。
【０２１３】
なお、上記実施の形態に加えて、アドレスが全く入力されていない場合にドメインボタンが押されたら、エラー表示をしたり、メール送信を行なわないようにしてもよい。
【０２１４】
また、図１６のように並行して複数のアドレス入力を受付ける場合（例えば２画面のアドレス受付け画面を表示する場合）、夫々のアドレス入力毎に上述の判定を行なうようにするとよい。すなわち、ドメインボタンが押された方の画面において、決定ボタンを表示するものである。
【０２１５】
さらに、上述の変形例においては１つの画像ＩＤのみをコンピュータ装置に保存することとしたが、複数の編集空間がある場合は、編集空間と同じ数のＩＤを保存することとしてもよい。
【０２１６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２１７】
【図１】本発明の実施の形態の１つにおける写真撮影装置の外観の具体例を示す斜視図である。
【図２】写真撮影装置を横から見た図である。
【図３】写真撮影装置を上から見た図である。
【図４】撮影空間２の後方に配置されるカーテンユニットなどを示す図である。
【図５】写真撮影装置の外観を示す図である。
【図６】写真撮影装置の機能構成の具体例を示す図である。
【図７】写真撮影装置のネットワーク接続例を示す図である。
【図８】第１コンピュータ装置１００ａで実行される撮影処理の動作を示すフローチャートである。
【図９】図８に続くフローチャートである。
【図１０】電波状態を示すアイコン５５ａ，５５ｂを示す図である。
【図１１】第２コンピュータ装置１００ｂで実行される編集・印刷処理の動作を示すフローチャートである。
【図１２】図１１に続くフローチャートである。
【図１３】図１２に続くフローチャートである。
【図１４】ステップＳ８１で編集操作用ディスプレイ３１に表示される機能選択画面の具体例を示す図である。
【図１５】携帯送信用画像選択画面を示す図である。
【図１６】転送先アドレス入力画面の具体例を示す図である。
【図１７】第１コンピュータ装置１００ａで実行される通信チェック処理の動作を示すフローチャートである。
【図１８】第１コンピュータ装置１００ａで実行される印刷処理の動作を示すフローチャートである。
【図１９】第１コンピュータ装置１００ａで実行される画像送信処理を示すフローチャートである。
【図２０】写真シール作成装置の要請に対して、画像ＩＤを発行し写真シール作成装置に送信する、画像提供サーバ２０１の処理を示すフローチャートである。
【図２１】写真シール作成装置で作成した画像を受信して、データベース２０３に登録する画像提供サーバ２０１の処理を示すフローチャートである。
【図２２】実際にユーザの携帯電話に画像を送信する画像提供サーバ２０１の処理を示すフローチャートである。
【図２３】ステップＳ２３３の処理により携帯電話に表示される画面を示す図である。
【図２４】ステップＳ２３９の処理により携帯電話に表示される画面を示す図である。
【図２５】ステップＳ２４１の処理により携帯電話に表示される画面を示す図である。
【図２６】図８のステップＳ２５でのテストモードでの処理を示すフローチャートである。
【図２７】図２６に続くフローチャートである。
【図２８】ステップＳ３０１において表示されるメインメニュー画面の具体例を示す図である。
【図２９】通信設定画面の具体例を示す図である。
【図３０】ステップＳ３１７において表示される画面の具体例を示す図である。
【図３１】図８のフローチャート（第１コンピュータ装置の処理（１））の変形例を示すフローチャートである。
【図３２】図３１に続くフローチャートである。
【図３３】図１１のフローチャート（第２コンピュータ装置の処理）の変形例を示すフローチャートである。
【図３４】図３３に続くフローチャートである。
【図３５】図３４に続くフローチャートである。
【図３６】図１８のフローチャート（第１コンピュータ装置の処理（３））の変形例を示すフローチャートである。
【図３７】図２１のフローチャート（画像提供サーバの処理（２））の変形例を示すフローチャートである。
【符号の説明】
【０２１８】
１ａ〜１ｃ  写真シール作成装置、４０  送信部、４１  ＰＨＳユニット、４２  ＰＨＳカード、５０  利用状況表示装置、５５ａ，５５ｂ  アイコン、１００ａ  第１コンピュータ装置、１００ｂ  第２コンピュータ装置、１０２ａ  記憶部、２０１  画像提供サーバ、２０３  データベース、２０５ａ〜２０５ｃ  携帯電話。
【図１】
0004714559.tif 000002
【図２】
0004714559.tif 000003
【図３】
0004714559.tif 000004
【図４】
0004714559.tif 000005
【図５】
0004714559.tif 000006
【図６】
0004714559.tif 000007
【図７】
0004714559.tif 000008
【図８】
0004714559.tif 000009
【図９】
0004714559.tif 000010
【図１０】
0004714559.tif 000011
【図１１】
0004714559.tif 000012
【図１２】
0004714559.tif 000013
【図１３】
0004714559.tif 000014
【図１４】
0004714559.tif 000015
【図１５】
0004714559.tif 000016
【図１６】
0004714559.tif 000017
【図１７】
0004714559.tif 000018
【図１８】
0004714559.tif 000019
【図１９】
0004714559.tif 000020
【図２０】
0004714559.tif 000021
【図２１】
0004714559.tif 000022
【図２２】
0004714559.tif 000023
【図２３】
0004714559.tif 000024
【図２４】
0004714559.tif 000025
【図２５】
0004714559.tif 000026
【図２６】
0004714559.tif 000027
【図２７】
0004714559.tif 000028
【図２８】
0004714559.tif 000029
【図２９】
0004714559.tif 000030
【図３０】
0004714559.tif 000031
【図３１】
0004714559.tif 000032
【図３２】
0004714559.tif 000033
【図３３】
0004714559.tif 000034
【図３４】
0004714559.tif 000035
【図３５】
0004714559.tif 000036
【図３６】
0004714559.tif 000037
【図３７】
0004714559.tif 000038